(57)【要約】  医療装置用の制御ユニットアセンブリであって、該アセンブリが、制御ユニット（１０）と、医療装置に設置されたドッキングユニットと、を含み、該制御ユニットが、ポンプと、少なくとも１本の流路と、該ポンプから該流路を通じた流体流を制御するための制御手段と、を含み、該ドッキングユニットが、前記流路を前記装置の膨張可能な隔室に結合する着脱可能な流体移送コネクターを、含んでいる。着脱可能な流体移送コネクターの１つは、前記ポンプに空気を供給するとともにフィルター（２４）を備えた、空気入口コネクターである。前記制御ユニットは、前記ポンプと前記流路との間に設置された複数の弁を更に含み、該複数の弁は、階層構造に構成されている。
2009523590.tif 000002
【特許請求の範囲】
【請求項１】
医療装置用の制御ユニットであって、
ポンプと、流路と、前記ポンプから前記流路を通じた流体流を制御するための制御手段と、を含み、
前記流路が、前記制御ユニットに設置された剛性内部通路である、
ことを特徴とする制御ユニット。
【請求項２】
医療装置用の制御ユニットアセンブリであって、
制御ユニットと、医療装置に設置されたドッキングユニットと、を含み、
前記制御ユニットが、ポンプと、流路と、前記ポンプから前記流路を通じた流体流を制御するための制御手段と、を含み、
前記ドッキングユニットが、前記流路を前記装置の膨張可能な隔室に結合する着脱可能な流体移送コネクターを含む、
ことを特徴とする制御ユニットアセンブリ。
【請求項３】
前記流路が、前記制御ユニットに設置された剛性内部通路である、
請求項２に記載の制御ユニットアセンブリ。
【請求項４】
前記制御ユニットが、少なくとも２本の前記流路を含み、
弁が、前記ポンプと前記各流路との間に設置されている、
請求項１から３のいずれか一項に記載の制御ユニット。
【請求項５】
前記剛性流路が、前記制御ユニットにおいて空気マニホールドを形成している、
請求項１又は３に記載の制御ユニット。
【請求項６】
前記制御ユニットが、前記ポンプと前記流路との間に設置された複数の弁を含み、
前記複数の弁が、階層構造に構成されている、
請求項１から５のいずれか一項に記載の制御ユニット。
【請求項７】
前記階層化弁構造が、前記ポンプを介して外部流体源に結合した第一位のラッチ弁を含み、
前記第一位のラッチ弁は、第一の位置にてラッチ開放されると、２つの前記流路の間にて流体流を導く第二位のラッチ弁に流体が流れることを可能とし、
前記第一位のラッチ弁は、第二の位置にてラッチ開放されると、別の２つの前記流路の間にて流体流を導く別の第二位のラッチ弁に流体が流れることを可能とする、
請求項６に記載の制御ユニット。
【請求項８】
前記ラッチ弁の各々が、前記制御ユニットのマニホールドに設置されている、
請求項７に記載の制御ユニット。
【請求項９】
前記弁構造における第二位の弁の開口が、前記装置における第一の膨張可能な隔室と第二の膨張可能な隔室との間の流体の移送を可能とする、
請求項７又は８に記載の制御ユニット。
【請求項１０】
電源として携帯型バッテリーを含んでいる、
請求項１から９のいずれか一項に記載の制御ユニット。
【請求項１１】
前記各流路とそのラッチ弁との間に圧力センサーが設置されている、
請求項６又は７に記載の制御ユニット。
【請求項１２】
前記ドッキングユニットが、前記コネクターを保有する支持板を含み、
前記制御ユニットが、前記支持板に摺動結合して前記コネクターと前記制御ユニットとの間に流体密シールを形成している、
請求項２から１１のいずれか一項に記載の制御ユニットアセンブリ。
【請求項１３】
前記医療装置が、１つ又はそれ以上の膨張可能な隔室を有するスリーブを含む、四肢用圧迫装置である、
請求項２から１２のいずれか一項に記載の制御ユニットアセンブリ。
【請求項１４】
前記ドッキングユニットが、前記スリーブの外面上のパウチに設置され、
前記パウチが、前記制御ユニットを収容している、
請求項１３に記載の制御ユニットアセンブリ。
【請求項１５】
前記装置が、患者の膝下での使用に適合されるとともに、膝と足首との間の部位に設置された３つの膨張可能な隔室と、踵及び足部位に設置された２つの膨張可能な隔室と、を含んでいる、
請求項２から１４のいずれか一項に記載の制御ユニットアセンブリ。
【請求項１６】
前記医療装置が、少なくとも２つの膨張可能な隔室を含み、
前記各隔室が、前記ドッキングユニットのコネクターに結合され、次に、前記コネクターが、前記制御ユニットにおける流路に係合する、
請求項２から１５のいずれか一項に記載の制御ユニットアセンブリ。
【請求項１７】
前記制御ユニットにおける前記流路が、前記ドッキングユニットにおける前記流体移送コネクターに係合して流体密シールを形成することが可能な、コネクターにて終端している、
請求項１に記載の制御ユニット。
【請求項１８】
前記制御ユニットが、前記ドッキングユニットと共に組み立てられると、前記装置の外側輪郭に一体化されている、
請求項２に記載の制御ユニットアセンブリ。
【請求項１９】
医療装置用の制御ユニットアセンブリであって、
制御ユニットと、医療装置に設置されたドッキングユニットと、を含み、
前記制御ユニットが、ポンプと、流路と、前記ポンプから前記流路を通じた空気流を制御するための制御手段と、を含み、
前記ドッキングユニットが、前記ポンプに空気を供給する着脱可能な空気入口コネクターを含み、
前記コネクターが、フィルターを備えている、
ことを特徴とする制御ユニットアセンブリ。
【請求項２０】
前記ドッキングユニットが、前記空気入口コネクターに加え、前記制御ユニットにおける多数の前記流路に着脱可能に結合される、多数のコネクターを、含んでいる、
請求項１９に記載の制御ユニットアセンブリ。
【請求項２１】
前記コネクターが、前記流路を前記装置の膨張可能な隔室に結合する、
請求項１９又は２０に記載の制御ユニットアセンブリ。
【請求項２２】
前記制御手段が、処理装置を含んでいる、
請求項１から２１のいずれか一項に記載の制御ユニット。
【発明の詳細な説明】
【技術分野】
【０００１】
本発明は、医療装置、特に四肢用圧迫装置のような空気圧式医療装置、に用いる制御ユニットに関する。詳細には、本発明は、静脈性下肢潰瘍、浮腫、深部静脈血栓、及び血管障害、の治療に用いることに適した、移動式圧迫装置に用いる、制御ユニットアセンブリに関する。
【背景技術】
【０００２】
流体による、１つ又はそれ以上の隔室の、所望する圧力への膨張、を必要とする様々な医療装置、例えば、圧力を加えるのに用いられる圧迫装置、又は、圧力点を均等にするのに用いられるマットレス若しくはクッションのような圧力解放装置は、公知である。圧縮圧を患者の四肢に加えるための圧迫装置は、公知である。これらのタイプの装置は、主に、深部静脈血栓（ＤＶＴ）、血管障害の予防、及び浮腫の低減、に役立つように用いられる。従来技術の装置は、病院環境での使用に適しており、主に、この症状を発症する高リスクを有する患者におけるＤＶＴの予防に用いられる。米国特許第５，１１７，８１２号、米国特許第５，０２２，３８７号、及び米国特許第５，２６３，４７３号（Ｔｈｅ  Ｋｅｎｄａｌｌ  Ｃｏｍｐａｎｙ）、米国特許第６，２３１，５３２号（Ｔｙｃｏ  Ｉｎｔｅｒｎａｔｉｏｎａｌ  Ｉｎｃ）、米国特許第６，４４０，０９３号（ＭｃＥｗｅｎら）並びに米国特許第６，４６３，９３４号（Ａｉｒｃａｓｔ  Ｉｎｃ）が、このような装置を開示している。
【０００３】
圧迫療法は、静脈性下肢潰瘍の治療に用いられる。その治療は、圧迫が、浮腫の低減及び静脈系を通じた血液の戻りの改善を達成すること、を拠り所とする。これにより、次に、下肢に供給される血液の滞留時間及び組織破壊をもたらしうる下肢内の虚血発作の重症度が軽減される。
【０００４】
四肢の圧迫は、空気式又は油圧式の圧迫装置により果たすことができる。
【０００５】
ＷＯ２００４／０８４７９０は、１つのタイプの移動式圧迫装置を開示している。「移動式」とは、圧迫装置を装着している使用者が動き回るための相対的自由を有する、ということである。ＷＯ ２００４／０８４７９０の装置は、脚又は腕に取り付けられるように構成された、１つ又はそれ以上の隔室を有する１つ又はそれ以上の流体膨張可能なカフを、含む。該装置は、所望の圧力プロファイルに依存した隔室内の圧力の、調節を可能とする。スリーブ又はカフにおいて隔室によって加えられる圧力は、装置全体に渡って各隔室内の圧力の低下又は上昇を検出する、自動制御ユニット、によって作動する、ポンプ及び弁によって、維持される。過剰な又は不十分な圧力が、隔室内に配置されたセンサーによって検出された場合、制御ユニットは、ポンプを作動させて所期の圧力を回復する。
【０００６】
従来技術の圧迫装置では、制御ユニットは、通常、圧迫装置と一体式ではなく遠隔操作される、別個の構成要素である。これは、多くは使用者のベルトに装着され、ポケットの中に収納され、或いは手で持ち運ばれるが、これは使用者には不便である。
【０００７】
一般に、制御ユニットは、ポンプ、電子回路、該制御ユニットを圧迫装置に結合するための流路、弁、電源などを、含むため、通常、かなり大きい。故に、既知の制御ユニットは嵩張り、重い。従って、既知の制御ユニットを圧迫装置の外面に取り付けることは、過剰な重量負担となって使用者の移動性を損なう可能性があるため、該ユニットの該装置における設置は実用的ではなかった。大部分の従来技術の装置が、患者の移動性が主な関心事ではない病院環境において用いられるため、一体式設置は不要でもある。制御ユニットが装置に設置されるとすると、重量は装置の取付点に集中し、圧迫装置における重量不均衡をもたらすであろう。また、圧迫装置の外面から突出する嵩張った制御ユニットは、使用者が移動している時に、該ユニットが打ち付けられて破壊されるであろうことを許容し、また、衣服下には適さない。
【０００８】
制御ユニットのサイズを縮小することに対しては、障壁がある。従来、ポンプと膨張可能な隔室との間の流路は、外部にあり、従って、外れたりもつれたりする危険性を示すことになりうる。典型的な病院の装置における構成要素による電力消費では、バッテリーは装置自体に携行するには余りに大きくなり、衣服下に適合するには余りに嵩張りすぎたものになる。
【特許文献１】米国特許第５，１１７，８１２号
【特許文献２】米国特許第５，０２２，３８７号
【特許文献３】米国特許第５，２６３，４７３号
【特許文献４】米国特許第６，２３１，５３２号
【特許文献５】米国特許第６，４４０，０９３号
【特許文献６】米国特許第６，４６３，９３４号
【特許文献７】ＷＯ２００４／０８４７９０
【発明の開示】
【発明が解決しようとする課題】
【０００９】
上述の不利点は、患者の低コンプライアンスの一因となり、使用を限定的にする。従って、低プロファイルの装置の一体部分であって、その内部構成要素が制御ユニット又は医療装置の性能に影響しないように十分に小型化された制御ユニットが、求められている。
【課題を解決するための手段】
【００１０】
本発明の第一の態様によれば、医療装置用の制御ユニットが提供され、制御ユニットは、ポンプと、流路と、ポンプから流路を通じた流体流を制御するための制御手段と、を含み、流路が、制御ユニットに設置された剛性内部通路である、ことを特徴としている。
【００１１】
本発明の制御ユニットは、流路が剛性であるため、制御ユニットと、医療装置の一部であるドッキングユニットと、を着脱可能に結合することが可能である、という利点を有する。これにより、制御ユニットと、医療装置におけるドッキングユニットと、の間に、外部流路が存在しないことも、可能となる。このようにして、制御ユニットは、医療装置に対して容易に着脱可能である。
【００１２】
本発明の第二の態様によれば、医療装置用の制御ユニットアセンブリが提供され、該アセンブリは、制御ユニットと、医療装置に設置されたドッキングユニットと、を含み、制御ユニットは、ポンプと、流路と、該ポンプから該流路を通じた流体流を制御するための制御手段と、を含み、ドッキングユニットは、前記流路を前記装置の膨張可能な隔室に結合する着脱可能な流体移送コネクターを、含んでいる。
【００１３】
ドッキングユニットは、支持板も含み、前記コネクターは、プラグ及びソケット型の、比較的非可撓性のコネクターである、ことが好ましい。前記コネクターは、気密シールを形成し、制御ユニットの反復着脱を可能とする、ことが好ましい。前記コネクターの数及び構成は、前記装置に存在する隔室の数に適合するようになっている。
【００１４】
前記支持板に剛性コネクターを設けることは、制御ユニットの装置への直接挿入を可能とし、それが取り外されて再挿入されることを可能とする。これにより、制御ユニットアセンブリの遠隔位置調節の必要性が解決される。その代わりに、ポンプが、外部源から流路内に、及び、支持板の剛性流体移送コネクターから圧迫装置の隔室内に、空気又は流体を引き込む。
【００１５】
剛性コネクターは、存在する場合、制御ユニットアセンブリに固着するように作用すると同時に、制御ユニットが圧迫装置から容易に着脱されることを可能とする。制御ユニットの前記装置への固定に役立つように、ばねの付勢に抗するように作用し、且つ、制御ユニット上のボタンを押すことによって解放可能な、追加の圧入保持手段を、設けてもよい。
【００１６】
ドッキングユニット及び着脱可能な流体コネクターの存在により、制御ユニットが取り外し可能であり、従って、再使用可能である、という利点が得られる。この理由は、通常、制御ユニットアセンブリの生産コストが非常に高いためである。別個のユニットとして設計されると、それは、何年もの使用寿命を有することが可能であり、装置間及び患者間にて移転可能である。費用対効果の大きい、患者の治療にとっては、各患者の治療後に制御ユニットを廃棄するよりも再利用する方が、望ましい。対照的に、その内面が患者の皮膚に接触する医療装置は、通常、一回使用であり、特定の患者にもはや必要とされないとなると、廃棄される。ともかく、通常、圧迫装置は、わずか６カ月の使用寿命を有する。故に、制御ユニットアセンブリの医療装置からの簡便な取り外し、及び、別の医療装置への再設置は、有益である。
【００１７】
本発明は、制御ユニット内の流路が、マニホールドの形状で制御ユニット内に全体的に設置された剛性内部通路である、ことが好ましいということを、更に提供する。
【００１８】
「マニホールド」という用語は、流体移送流路が制御ユニットの剛性材において迷路のような通路を形成する、という意味である。該流路は、制御ユニットアセンブリの他の構成要素及び圧迫装置に結合するのに好適なコネクターに、終端することが、好ましい。マニホールドは、ポンプと装置との間の複数のチューブに取って代わり、制御ユニットをドッキングユニットに収容されるのに十分にコンパクトにしている。ドッキングユニットは、装置の外側輪郭内のパウチであることが好ましい。
【００１９】
本発明は、制御ユニットが好ましくはポンプと流路との間に設置された複数の弁を含み、該複数の弁が順位化又は層化された階層構造にて配置される、ということを、更に提供する。
【００２０】
「階層化又は順位化された弁ツリー構造」という用語は、弁がポンプからの流体流の方向におけるそれらの近接性に従った階層に配置される、という意味である。ポンプに最も近接する弁は、流体流を弁の更なる階層に導く。このようにして、複数の膨張可能な隔室を制御するために制御ユニットにおいて有することが必要な弁の数が、減少する。
【００２１】
階層化された弁構成の提供は、弁の数、従って、弁が占める空間及びそれらの電力消費を、低減することにより、制御ユニットのサイズ縮小を、可能とする。これにより、圧迫装置の、外側スリーブ上、又は、外側スリーブ内での、制御ユニットアセンブリの近接配置が、可能となる。圧迫装置の外側スリーブ内に別個に配置された場合、使用時に打ち付けたり損傷したりし得る制御ユニットの外縁がなく、患者の安全性、患者の生活の質及び制御ユニットの寿命の改善がもたらされる。更に、そのような個別に隠されたユニットにより、患者のコンプライアンスの向上が期待される。
【００２２】
弁アセンブリの階層化弁ツリー構造は、存在する場合、同時に全ての弁を作動させることなく、圧迫装置内の個々の隔室の空気圧又は流体圧を選択的に変動させる、手段を、有益に提供する。更に、階層化弁ツリー構造は、圧力変動をなすのに必要な弁の数を、減少させる。従って、ツリー構造は、必要な弁がより少ないため、制御ユニットのサイズ縮小を可能とする。故に、この構成は、バッテリーのような携帯型電源を受け入れやすい。装置における電力消費を更に低減するため、弁はラッチ弁であることが好ましい。
【００２３】
更に、本発明によれば、本発明の第一及び第二の態様による制御ユニットアセンブリを含む、四肢に用いる圧迫装置が、提供される。
【００２４】
好ましくは、本発明の一態様の１つ又はそれ以上の着脱可能な流体移送コネクターは、制御ユニット及び圧迫装置における空気又は流体の移送流路との結合に適合している。特に、好ましくは、これは、圧迫装置の雌コネクタースロットに係合可能な、制御ユニットアセンブリの雄コネクターチューブ、又は、圧迫装置の雄コネクターチューブに係合可能な制御ユニットアセンブリの雌コネクタースロットによって、成される。
【００２５】
制御ユニットを固定するために、ラッチは、雄部分及び雌部分を所定位置に保持するよう、使用できる。好ましくは、制御ユニットアセンブリが、例えば、圧迫装置の外側のボタンを押すことにより、圧迫装置から取り外すことができるように、該ラッチは容易に解放することができる。
【００２６】
剛性の、空気又は流体の移送コネクターは、どのような数でも用いることができる。しかし、４又は５個のコネクターが存在することが好ましく、これは、圧迫装置の要件に依存する。空気又は流体の移送コネクターが、支持板の一部として一体形成することが可能な、剛性プラスチック材料を、含むことは、好ましい。これは、例えば、ドッキングユニット又は支持板の製造時に、射出成形法によって、成されうる。
【００２７】
本発明の第一及び第二の態様の制御ユニットアセンブリは、電源として追加の（ブースター）携帯型バッテリーを含みうる。これは、再充電可能な、ニッケルカドミウム電池、ニッケル水素電池、又はリチウムイオン電池でよい。
【００２８】
制御ユニットは、コネクター及びラッチに係合するように、摺動圧入で、支持板に取り付けられることが、好ましい。
【００２９】
圧迫装置は、制御ユニットアセンブリを収容・保持するためのパウチを備えた外面を有することが、好ましい。ドッキングユニットは、パウチ内に配置され、便宜的に支持板の形態とすることができる。
【００３０】
圧迫装置は、患者の個々のニーズに依存して多くの膨張可能な隔室を含んでよく、腕又は脚に適合されうる。特に好ましい実施形態では、該装置は、患者の膝下での使用に適合されてよく、膝と足首との間の部位に設置された３つの膨張可能な隔室、及び、踵・足部位に設置された２つの膨張可能な隔室を、含む。
【００３１】
更なる態様では、本発明は、医療装置用の制御ユニットアセンブリを提供し、該アセンブリは、制御ユニットと、該医療装置に設置されたドッキングユニットと、を含み、該制御ユニットは、ポンプと、流路と、該流路を通じた空気流を制御するための制御手段と、を含み、該ドッキングユニットは、該ポンプに空気を供給する着脱可能な空気入口コネクターを含み、該コネクターは、フィルターを備えている。
【００３２】
このようにして、ポンプへの空気入口は、アセンブリの装置側に設けられたフィルターを備えている。これは、装置がその使用寿命の終末に達して交換される時、制御ユニットが新たなフィルターを間接的に備える、ということである。フィルターが制御ユニットに配置されたとした場合、フィルターは、ユニットの修理をせずに制御ユニットの寿命期間に交換されることはないであろう。加えて、アセンブリの装置側へのフィルターの設置は、制御ユニット及びその電気回路の汚染が制限される、ということである。フィルターが制御ユニットに存在するとした場合、装置の作動時、濾過されない空気が、少なくともフィルターまで制御ユニット内に引き込まれるであろう。フィルターが制御ユニットの外部にあるため、濾過された空気のみが制御ユニット内に引き込まれる。これにより、制御ユニットの信頼性が向上しうる、という利点が得られる。
【発明を実施するための最良の形態】
【００３３】
次に、添付図面を参照して本発明の好ましい実施形態について述べる。
【００３４】
図１では、患者の下肢に装着された、本発明の一実施形態による制御ユニットアセンブリ及び圧迫装置が、示されている。前記装置は、足カフ６に結合した下肢カフ４を有するスリーブ２を含んでいる。前記装置は、制御ユニット１０を含む制御ユニットアセンブリ８も含んでいる。制御ユニット１０は、小型であり、スリーブ２から取り外されると、携帯できる。制御ユニット１０は、装置２に対して着脱される時に再充電できるように、バッテリー駆動型で再充電可能である。図１は、制御ユニット１０及び低プロファイルの該アセンブリを収容するための、スリーブ２に設けられたパウチ１２も、示す。制御ユニットアセンブリは、前記装置の輪郭に追従し、該アセンブリを前記装置に組み入れる。
【００３５】
図２は、前記制御ユニットが取り外された前記装置の、上方から見た斜視図であり、パウチ１２及び支持板１４を示す。前記制御ユニットは、前記パウチに摺動可能に係合されるとともに、ラッチ手段によって適切な位置に保持できる。図１は、前記装置の前記パウチに配置された解放ボタン２２を示し、これは、押されると、前記制御ユニットを前記パウチから解放する。
【００３６】
図３は、前記アセンブリから取り外され、前記ユニットの下方から見た、制御ユニット１０の斜視図であり、前記支持板の剛性コネクターに係合するためのコネクター１６を示す。
【００３７】
図４は、例示する目的で前記装置から取り外された、支持板１４の斜視図であり、前記制御ユニットのコネクター１６に係合するための剛性コネクター１８を示す。図４は、支持板１４に摺動係合される状態の制御ユニット１０を示す。制御ユニット１０が前記支持板に摺動されると、制御ユニット１０及び支持板１４を付勢して引き離すように作用する、２つのばね２０を、圧縮し始める。制御ユニット１０の更なる摺動により、コネクター１６、１８は、流体密シールにて係合し、また、前記制御ユニットは、制御ユニット１０をばね２０に抗してパウチ１２内に保持するラッチに、係合する。制御ユニット１０は、ボタン２２を押すことによってパウチ１２から解放され（図１）、その輪郭は、スリーブ２において視認可能である。次に、ばね２０は、前記アセンブリを跳び離れさせ、制御ユニット１０は、前記装置から取り外されうる。ばね２０は、前記支持板に位置して前記アセンブリの一部を同様に付勢する、板ばねの形状と、成りうる。
【００３８】
図４は、支持板１４の空気入口／空気出口コネクターに設けられた、エアフィルター２４も示す。該フィルターは、支持板１４に設けられているため、前記制御ユニットが新たな装置と共に用いられる際には必然的に交換される。これにより、前記制御ユニットのサービス要件が軽減される。
【００３９】
図５及び６を参照すると、制御ユニット１０は、コネクターＣ１、Ｃ２、Ｃ３及びＣ４、並びに、空気入口／空気出口Ｃ５に終端する、流体流路４０、４２、４４、４６、４８を、有する。隔室が膨張される必要がある時、処理装置（図示せず）からの命令下、ポンプ並びに弁Ｖ４及びＶ５の作動によって流路４８を通じて空気が取り込まれる。前記処理装置は、空気入口Ｃ５と流路４０、４２、４４、４６との間に配置された、弁Ｖ３，Ｖ１、及びＶ２に、常にただ１つの流路が作動するように、命令する。図５から、弁Ｖ３が、空気入口／空気出口Ｃ５から弁Ｖ１又はＶ２へ、又は、弁Ｖ１又はＶ２から空気入口／空気出口Ｃ５へ、流体を導き、次に、弁Ｖ１又はＶ２が、コネクターＣ１若しくはＣ２、又は、Ｃ３若しくはＣ４への、流体路を選択的に開閉する、ということがわかる。前記弁は、ラッチ弁であることが好ましい。
【００４０】
制御ユニット１０において、コネクターＣ１と弁Ｖ１との間の流路４０に、センサーＳ１（図６）が配置されている。同様に、センサーＳ２、Ｓ３及びＳ４が、それぞれ流路４２、４４、４６に配置されている。センサーＳ１〜Ｓ４は、全て、処理装置により制御されるとともに、該装置内のそれぞれの隔室によって加えられる圧力を示すように構成された、流体圧センサーである。Ｓ５は、前記装置の流体流系における圧力を独立してモニターする。
【００４１】
図６は、前記ポンプから各コネクターＣ１〜Ｃ５に空気を供給する、迷路のような通路、を有する空気マニホールド５０も示す。空気マニホールド５０は、従来技術の装置によって遠位制御ユニットと前記装置のコネクターとの間に必要とされる、外部チューブに、取って代わっている。
【図面の簡単な説明】
【００４２】
【図１】患者の四肢に装着された移動式圧迫装置に一体化した、本発明の制御ユニットアセンブリを、示す斜視図である。
【図２】制御ユニットを収容して本発明のアセンブリを形成するための支持板を示す斜視図である。
【図３】使用される支持板のコネクターに係合するコネクターを示す、本発明の制御ユニットの一端を、示す斜視図である。
【図４】コネクターと、制御ユニットの着脱のためにアセンブリを付勢して引き離すばねと、の一体化を示すため、圧迫装置から取り外されたアセンブリの支持板及び制御ユニットを、示す斜視図である。
【図５】本発明のアセンブリの空気流論理図を示す概略図である。
【図６】空気マニホールドを示す図１の、アセンブリの制御ユニットの内部を示す、概略図である。
【図１】
2009523590.tif 000003
【図２】
2009523590.tif 000004
【図３】
2009523590.tif 000005
【図４】
2009523590.tif 000006
【図５】
2009523590.tif 000007
【図６】
2009523590.tif 000008
【国際調査報告】
2009523590.tif 000009
2009523590.tif 000010